(57)【要約】  容器蓋は、中空体、上記容器蓋にわたって形成された開口部、及び、上記容器蓋を容器に係合するために上記容器蓋上に形成されたねじ山パターンを有する蓋筐体と、上記蓋筐体に連結し、上記開口部を可逆的に封止する閉じ機構と、上記中空体の内部に設けられた発泡断熱材と、を備える。
2020529368.tif 000002
【特許請求の範囲】
【請求項１】
容器蓋であって、
中空体、上記容器蓋にわたって形成された開口部、及び、上記容器蓋を容器に係合するために上記容器蓋上に形成されたねじ山パターンを有する蓋筐体と、
上記蓋筐体に連結し、上記開口部を可逆的に封止する閉じ機構と、
上記中空体の内部に設けられた発泡断熱材と、を備えた容器蓋。
【請求項２】
上記発泡断熱材は、上記開口部を少なくとも部分的に取り囲むように形成される、請求項１に記載の容器蓋。
【請求項３】
上記開口部は、上記ねじ山パターンと上記発泡断熱材との間に設けられる、請求項１に記載の容器蓋。
【請求項４】
上記発泡断熱材は、上記中空体を実質的に充填する、請求項１に記載の容器蓋。
【請求項５】
上記ねじ山パターンは、上記容器蓋に対して外側に面するように上記蓋筐体上に形成される、請求項１に記載の容器蓋。
【請求項６】
上記閉じ機構の近位端は上記蓋筐体に接続点で接続され、上記閉じ機構は上記接続点を中心に旋回するように動作可能である、請求項１に記載の容器蓋。
【請求項７】
上記閉じ機構は、上記開口部が開放された開位置と、上記開口部が封止された閉位置との間で旋回するように動作可能である、請求項６に記載の容器蓋。
【請求項８】
上記閉じ機構は、上記閉じ機構の遠位端に配置された、上記蓋筐体のリムを収容するフック部を含み、それによって、上記閉じ機構が閉位置にあるときに、上記閉じ機構を所定の位置に可逆的に保持する、請求項７に記載の容器蓋。
【請求項９】
上記フック部により収容される上記リムは、上記蓋筐体の上記開口部と同じ側に配置される、請求項８に記載の容器蓋。
【請求項１０】
上記フック部は、上記容器蓋に対して上記フック部の遠位端から外側に突出する把持部を含む、請求項８に記載の容器蓋。
【請求項１１】
上記閉じ機構は、上記閉じ機構の遠位端近傍に形成され、上記蓋筐体の突出部と嵌合する凹部を含み、それによって、上記閉じ機構が開位置にあるときに、上記閉じ機構を所定の位置に可逆的に保持する、請求項７に記載の容器蓋。
【請求項１２】
上記突出部は、上記開口部と正反対の上記蓋筐体の端部に形成される、請求項１１に記載の容器蓋。
【請求項１３】
上記閉じ機構は、上記閉じ機構が閉位置にあるときに上記開口部を可逆的に封止するように上記開口部内に嵌合するように構成された、上記閉じ機構の遠位端近傍に配置された開口プラグを含む、請求項７に記載の容器蓋。
【請求項１４】
上記開位置と上記閉位置との間の上記閉じ機構の動作範囲は約１８０度である、請求項７に記載の容器蓋。
【請求項１５】
上記蓋筐体および上記発泡断熱材を通してベントが形成され、
上記閉じ機構は、上記閉じ機構が閉位置にあるときに上記ベントを可逆的に封止するように上記ベント内に嵌合するベントプラグを含む、請求項１に記載の容器蓋。
【請求項１６】
上記蓋筐体の一部を取り囲むガスケットをさらに含む、請求項１に記載の容器蓋。
【請求項１７】
１つ以上のエアポケットが、上記発泡断熱材に隣接して上記中空体の内部に配置される、請求項１に記載の容器蓋。
【請求項１８】
１つ以上の壁が、上記中空体の内面から外側に向かって延び、上記発泡断熱材と接触し、それによって上記１つ以上のエアポケットを形成する、請求項１７に記載の容器蓋。
【請求項１９】
上記発泡断熱材の第１の領域の厚さが、上記発泡断熱材の第２の領域の厚さよりも小さい、請求項１に記載の容器蓋。
【請求項２０】
上記第１の領域は上記開口部に近接する上記発泡断熱材の端部であり、上記第２の領域は上記発泡断熱材の反対側の端部である、請求項１９に記載の容器蓋。
【発明の詳細な説明】
【技術分野】
【０００１】
本開示は、一般に容器蓋に関し、より詳細には発泡断熱材を有する漏れ防止容器蓋に関する。
【背景技術】
【０００２】
容器蓋は一般に、液体の流入出が可能な容器の開口部を封止するための機構（例えば、ねじ込み式キャップ、フリップキャップ、プッシュキャップなど）を含む。容器蓋が容器と係合しているときに容器内の液体を得るために、ユーザは、通常、容器内への液体経路がもたらされ、蓋を通してユーザが液体を飲むことが可能なように、容器の開口部に対して蓋の閉じ部分を移動または取り除く。ユーザが（例えば、運ぶため）容器を封止したい場合、ユーザは、液体経路が封止されるように蓋の閉じ部分を調整する。理想的には、容器内の液漏れが防止されるように、漏れ防止方式によって閉じ部が液体経路を密封する。
【０００３】
容器蓋に関する別の重要な考慮事項として温度制御がある。特に容器が高温または低温の飲料で満たされている場合、ユーザは、容器内の液体の温度を保持することを考える。問題となる点は、現在の容器蓋の設計は、液体温度の維持および漏れ防止の何れかが有効なのであって、その両方を有効とするものではない点である。
【発明の概要】
【０００４】
本開示は、容器蓋の開口部を可逆的に封止する旋回閉じ機構によって漏れ防止し、かつ、蓋筐体の中空体を充填する発泡断熱材によって断熱するドリンクスルー容器蓋を提供する。その結果、容器内の液漏れを防止するとともに、上記液体の温度を維持する容器蓋が得られる。
【０００５】
本開示の実施形態によれば、容器蓋は、中空体、上記容器蓋にわたって形成された開口部、及び、上記容器蓋を容器に係合するために上記容器蓋上に形成されたねじ山パターンを有する蓋筐体と、上記蓋筐体に連結し、上記開口部を可逆的に封止する閉じ機構と、上記中空体の内部に設けられた発泡断熱材とを備える。
【０００６】
上記発泡断熱材は、上記開口部を少なくとも部分的に取り囲むように形成され、かつ、上記中空体を実質的に充填することができる。上記開口部は、上記ねじ山パターンと上記発泡断熱材との間に設けられてよい。
【０００７】
上記ねじ山パターンは、上記容器蓋に対して外側に面するように上記蓋筐体上に形成される。これにより、外側に面するねじ山パターンは、容器の内側に面するねじ山パターンと係合するように動作可能であってもよい。
【０００８】
上記閉じ機構の近位端は上記蓋筐体に接続点で接続され、上記閉じ機構は上記接続点を中心に旋回するように動作可能である。上記閉じ機構は、上記開口部が開放された開位置と、上記開口部が封止された閉位置との間で旋回するように動作可能である。
【０００９】
上記閉じ機構は、上記閉じ機構の遠位端に配置された、上記蓋筐体のリムを収容するフック部を含み、それによって、上記閉じ機構が閉位置にあるときに、上記閉じ機構を所定の位置に可逆的に保持する。上記フック部により収容される上記リムは、上記蓋筐体の上記開口部と同じ側に配置される。上記フック部は、上記容器蓋に対して上記フック部の遠位端から外側に突出する把持部を含んでよい。
【００１０】
さらに、上記閉じ機構の遠位端近傍に形成され、上記蓋筐体の突出部と嵌合する凹部が形成されてよく、それによって、上記閉じ機構が開位置にあるときに、上記閉じ機構が所定の位置に可逆的に保持される。上記突出部は、上記開口部と正反対の上記蓋筐体の端部に形成されてよい。
【００１１】
さらに、上記閉じ機構は、上記閉じ機構が閉位置にあるときに上記開口部を可逆的に封止するように上記開口部内に嵌合するように構成された、上記閉じ機構の遠位端近傍に配置された開口プラグを含んでよい。また、上記蓋筐体および上記発泡断熱材を通してベントが形成され、上記閉じ機構は、上記閉じ機構が閉位置にあるときに上記ベントを可逆的に封止するように上記ベント内に嵌合するベントプラグを含んでよい。
【００１２】
上記開位置と上記閉位置との間の上記閉じ機構の動作範囲は約１８０度であってよい。
【００１３】
さらに、１つ以上のエアポケットが、上記発泡断熱材に隣接して上記中空体の内部に配置されてよい。この点に関して、１つ以上の壁が、上記中空体の内面から外側に向かって延び、上記発泡断熱材と接触し、それによって上記１つ以上のエアポケットを形成する。
【００１４】
また、上記発泡断熱材の第１の領域の厚さが、上記発泡断熱材の第２の領域の厚さよりも小さくてよい。上記第１の領域は上記開口部に近接する上記発泡断熱材の端部であり、上記第２の領域は上記発泡断熱材の反対側の端部である
【図面の簡単な説明】
【００１５】
本実施形態は添付の図面と共に以下の記載を参照することにより、より良く理解され得るものであり、添付の図面において、同様の符号は、同一の又は機能的に同様の要素を示す。
【図１】本開示の実施形態に係る容器蓋の分解図である。
【図２】本開示の実施形態に係る容器蓋の断面図である。
【図３】本開示の実施形態に係る開位置にある容器蓋の上面斜視図である。
【図４】本開示の実施形態に係る容器蓋の底面斜視図である。
【図５】本開示の実施形態に係る、容器の内側方向に面するねじ山パターンと係合するように動作可能な外側に面するねじ山パターンを有する容器蓋の斜視図である。
【図６】本開示の実施形態に係る、開位置と閉位置との間の閉じ機構の可動域の斜視図である。
【図７】本開示の実施形態に係る、容器蓋の開口部および部分的に開いた閉じ機構の斜視図である。
【図８】本開示の実施形態に係る容器蓋の他の分解図である。
【図９】本開示の実施形態に係る容器蓋の上面図である。
【図１０】本開示の実施形態に係る容器蓋の底面図である。
【図１１】本開示の実施形態に係る容器蓋の左側面図である。
【図１２】本開示の実施形態に係る容器蓋の正面図である。
【図１３】本開示の実施形態に係る、図１２のＡＡ線に沿った容器蓋の断面図である。
【図１４】本開示の実施形態に係る容器蓋の他の分解図である。
【図１５】本開示の実施形態に係る容器蓋の他の断面図である。
【図１６】本開示の実施形態に係る容器蓋の他の分解図である。
【図１７】本開示の実施形態に係る、図１２のＡＡ線に沿った容器蓋の他の断面図である。
【００１６】
上記で参照された図面は、必ずしも一定の縮尺ではなく、本開示の基本原理を例示する様々な好ましい特徴のいくつかを簡略化された表現で提示するものであることを理解されたい。例えば、特定の寸法、向き、位置、および形状を含む、本開示の特定のデザイン特徴は、特定の意図された用途および使用環境によって部分的に決定される。
【発明を実施するための形態】
【００１７】
以下、本開示の実施形態を図面に基づいて詳細に説明する。当業者が理解するように、記載された実施形態は、全て本開示の趣旨または範囲から逸脱することなく、様々な異なった方法で変更されてもよい。さらに、明細書全体を通して、同様の符号は同様の要素を指す。
【００１８】
本明細書で使用される用語は特定の実施形態を説明するためだけのものであり、本開示を限定することを意図するものではない。本明細書で使用されるように、単数形「ａ」、「ａｎ」、および「ｔｈｅ」は文脈に沿わないことが明確に示されない限り、複数形も含むことが意図される。用語「備える」および／または「備えている」は本明細書にて使用される場合、述べられた特徴、整数、工程、動作、要素、および／または構成部品の存在を特定するが、１つまたは複数の他の特徴、整数、工程、動作、要素、構成部品、および／またはそれらのグループの存在または追加を排除しないことがさらに理解される。本明細書にて使用されるように、「および／または」との用語は、１以上の関連する列挙した項目の任意およびすべての組み合わせを含む。
【００１９】
ここで本開示の実施形態を参照すると、開示された容器蓋は、ドリンクスルー設計（a drink-through design）を特徴とする（すなわち、液体経路が蓋を通り抜けて形成され、ユーザは蓋を取り外すことなく容器内の液体を飲むことができる）。ドリンクスルー設計は、容器蓋の開口部を可逆的に封止する閉じ機構を旋回することにより液体の漏れを防止し、かつ、蓋筐体の中空体を満たす発泡断熱材によって断熱する。その結果、容器蓋は、容器内の液漏れを防止するとともに該液体の温度を維持する。また、開示された容器蓋は、蓋に対して外側に面するように形成されたねじ山パターンを特徴とし、その結果、容器の内側に面するねじ山パターンと結合し、これにより、蓋の漏れ防止および断熱特性を増大させる密封をもたらす。
【００２０】
図１は、本開示の実施形態に係る容器蓋１００の分解図である。図１に示すように、容器蓋１００は、中空体を有する蓋筐体１１０を含み、その中に発泡断熱材１３０が配置される。発泡ポリスチレン（ＥＰＳ）などの様々な種類の発泡体を容器蓋１００内の断熱に利用することができ、当技術分野で知られている発泡体射出成形などの様々な技法を使用して、蓋筐体１１０の内部に発泡断熱材１３０を挿入することができる。一実施例では、容器蓋１００の組立時に、蓋筐体１１０は、別箇の頂部および底部１１２を含んでもよい。蓋筐体１１０は、例えばアクリロニトリルブタジエンスチレン（ＡＢＳ）または他の熱可塑性ポリマーなどの任意の適切な材料を使用して形成されてもよい。
【００２１】
発泡断熱材１３０は、蓋筐体１１０の一部分に挿入され、次いで、上部および底部が接合され（例えば、超音波溶接により）、発泡断熱材が充填された蓋筐体１１０が製造される。発泡断熱材１３０は、当技術分野で知られている任意の適切な技法を使用して、蓋筐体１１０の内部に設けられる。発泡断熱材１３０は、蓋筐体１１０の中空体の全体にわたって充填されてよく、それによって、容器蓋１００の断熱特性を向上させることができる。
【００２２】
発泡断熱材１３０は、図２及び図１３に示すように、一定あるいは不定の厚さで作られてよい。例えば、開口部１５０に近接する発泡断熱材１３０のある領域の厚さは、開口部１５０とは反対側の端部における発泡断熱材１３０のある領域の厚さよりも薄くてもよい。一実施例では、開口部１５０に近接する発泡断熱材１３０のある領域の厚さは１３ｍｍ〜１７ｍｍの範囲内に形成されてもよく、開口部１５０とは反対側の端部における発泡断熱材１３０のある領域の厚さは２０ｍｍ〜２６ｍｍの範囲内に形成されてもよい（ただし、発泡断熱材１３０の寸法はこれに限定されない）。さらに、接続点Ｐに近接する発泡断熱材１３０のある領域の厚さは、開口部１５０に近接する発泡断熱材１３０のある領域の厚さよりも薄くてもよい。したがって、発泡断熱材１３０は、蓋筐体１１０の形状などの様々な要因に応じて、複数の異なる厚さを有するように形成されてよい。
【００２３】
開口部１５０が蓋筐体１１０に形成され、蓋筐体１１０を通過する、容器１８０からの液体経路がもたらされ、これによりユーザは蓋筐体１１０から液体を飲むことができる。図２及び図３において詳細に示す開口部１５０は、楕円形又は半円形のような任意の適当な形状に形成することができる。また、図１および図２に示すように、発泡断熱材１３０が開口部１５０を部分的に取り囲むように形成されるように、開口部１５０は発泡断熱材１３０を貫通して形成される。あるいは、発泡断熱材１３０は、発泡断熱材１３０が開口部１５０を完全に取り囲むように形成されてよい。発泡断熱材１３０は、蓋筐体１１０の内部を充填しつつ開口部１５０を少なくとも部分的に取り囲む。そのため、ユーザが蓋１００を介して液体を飲むことを阻害することなく、容器蓋１００の断熱特性は向上する。
【００２４】
さらに、閉じ機構１２０が、蓋筐体１１０に連結され、開口部１５０を可逆的にシールするように動作可能である。これにより、容器１８０内の液体の温度に関係なく、閉じ機構１２０が開口部１５０を封止する位置にある間に、容器１８０内の液漏れが防止される。図２に示すように、閉じ機構１２０の近位端は、接続点Ｐにおいて蓋筐体１１０に接続され、閉じ機構１２０が接続点Ｐを中心に旋回可能に接続されてよい。閉じ機構１２０は、例えば、ポリプロピレン（ＰＰ）または他の熱可塑性ポリマーなどの任意の適切な材料を使用して形成されてもよい。
【００２５】
図６に示すように、閉じ機構１２０は、開口部１５０が（閉じ機構１２０の開口プラグ１６０によって）封止される閉位置と、開口部１５０が開放され、ユーザが開口部１５０を通して液体を飲むことができるように収容される開位置との間を旋回できる。蓋筐体１１０の上面は、閉じ機構１２０のそのような運動を可能にするために、例えば、閉じ機構１２０が回転可能なように接続点Ｐの近傍にスペースを設ける、閉じ機構１２０が蓋筐体１１０と同一平面に嵌合可能なように開位置および／または閉位置において閉じ機構１２０を収容するためのスペースを上面に設けるなど、様々な方法で形成されてもよい。閉じ機構１２０を蓋筐体１１０に接続するために、ピン、突起等のような種々の技術を使用することができる。
【００２６】
図１にさらに示すように、蓋筐体１１０の外側にねじ山パターン１４０が形成される。従って、ねじ山パターン１４０と発泡断熱材１３０との間に開口部１５０が設けられ、容器蓋１００が容器１８０に係合する。図５に示すように、外側に面するねじ山パターン１４０が容器１８０の内側に面するねじ山パターン１４２と結合するように容器蓋１００に対して外側に面するように、ねじ山パターン１４０は蓋筐体１１０上に形成されてよい。外側に面するねじ山パターン１４０は内側に面するねじ山パターンよりも容器１８０との密封を作り出すことができ、蓋１００の漏れ防止および断熱特性の向上にさらに役立つ。
【００２７】
図８は、本開示の実施形態に係る容器蓋１００の別の分解図である。図８に示すように、容器蓋１００と容器蓋１００が結合される容器１８０との間の液漏れを防止するために、蓋筐体１１０の一部を取り囲むようにガスケット１７０が設けられる。ガスケット１７０は、例えばシリコーンのような任意の適切な材料を用いて形成される。
【００２８】
図２は、本開示の実施形態に係る容器蓋１００の断面図である。図２に示すように、開口部１５０は蓋筐体１１０を横断し、ユーザは蓋１００を通して容器１８０内の液体を飲むことができる。発泡断熱材１３０は、蓋筐体１１０の中空体を充填し、少なくとも部分的に開口部１５０を取り囲むように形成されてもよい。閉じ機構１２０は、図２で示される閉位置にあるときに開口部１５０を封止する。
【００２９】
一実施例において、閉じ機構１２０の近位端は接続点Ｐで蓋筐体１１０に接続されてよく、閉じ機構１２０の遠位端はフック部１２２を含んでもよい。フック部１２２は、蓋筐体１１０のリム１１４を受け入れるように構成されてよく、これにより、閉じ機構１２０が図２で示される閉位置にあるときに、決まった箇所において閉じ機構１２０を可逆的に保持する。開口部１５０は、蓋筐体１１０において、フック部１２２に収容されるリム１１４と同じ側に設けられる。さらに、フック部１２２は、ユーザがフック部１２２を容易に把持し、閉位置と開位置との間で閉じ機構１２０を回転しやすくするために、容器蓋１００に対してフック部１２２の遠位端から外向きに突出する把持部１２４を含んでもよい。
【００３０】
さらに、閉じ機構１２０は、閉じ機構１２０の遠位端近傍に形成された凹部１２６を含んでよい。一実施例では、図２に示すように、凹部１２６はフック部１２２に形成されてもよい。凹部１２６は、開口部１５０と正反対の蓋筐体１１０の端部に形成された突出部１１６と嵌合するように構成されてもよい。閉じ機構１２０が開位置にあり、凹部１２６が突出部１１６と嵌合すると、閉じ機構１２０を所定の位置に可逆的に保持することができる。これにより、ユーザが開口部１５０から液体を飲みたいときに、閉じ機構１２０を収容することができる。
【００３１】
図３は、本開示の実施形態に係る、開位置にある容器蓋１００の上面斜視図である。図３に示すように、閉じ機構１２０は、開口部１５０が開放された（すなわち、シールされていない）開位置に旋回することができる。ここで、上述したように、閉じ機構１２０は、閉じ機構１２０の凹部１２６が蓋筐体１１０の突出部１１６と嵌合することにより、（ユーザが閉じ機構１２０を手動で動かすまで）収容され、所定の位置に保持される。
【００３２】
閉じ機構１２０の遠位端の近くに開口プラグ１６０が設けられてよい。開口プラグ１６０は、閉じ機構１２０が閉位置にあるときに（例えば、図１及び図２参照）開口部１５０を封止するように開口部１５０内に嵌合する形状及び深さで形成される。開口プラグ１６０は、例えば熱可塑性エラストマー（ＴＰＥ）又は熱可塑性ゴムといった弾性材料など、開口部１５０の漏れ防止シールを確保するのに適した任意の材料で形成されてよい。
【００３３】
さらに、蓋筐体１１０及び発泡断熱材１３０を貫通してベント１５２が形成される。ベント１５２は、当技術分野で一般に知られているように、開口部１５０における液体の流れを円滑にする。ベント１５２からの漏れ防止のために、閉じ機構１２０は、閉じ機構１２０が閉位置にあるときにベント１５２を封止するようベント１５２内に嵌合する形状および深さで形成されたベントプラグ１６２をさらに含んでよい。開口プラグ１６０と同様に、ベントプラグ１６２は、ＴＰＥまたは熱可塑性ゴムといった弾性材料など、ベント１５２の漏れ防止シールに適した任意の材料で形成されてよい。開口プラグ１６０及びベントプラグ１６２は、閉じ機構１２０に独立して形成および設けられてよく、あるいは、単一ユニット（例えば、図８参照）として形成され、同時に閉じ機構１２０に設けられてもよい。
【００３４】
図４は、本開示の実施形態に係る容器蓋１００の底面斜視図である。図４に示すように、開口部１５０およびベント１５２は蓋筐体１１０および発泡断熱材１３０を横断するように形成され、それにより、容器蓋１００が容器１８０に係合されているときに、容器１８０の開口部から容器１８０の外部への液体流路がもたらされる。
【００３５】
図５は、本開示の実施形態に係る、容器１８０の内側方向に面するねじ山パターン１４２と係合するように動作可能な外側に面するねじ山パターン１４０を有する容器蓋１００の斜視図である。図５に示すように、蓋筐体１１０の外側に形成された外側に面するねじ山パターン１４０は、容器１８０の内側に面するねじ山パターン１４２と係合することができる。外側に面するねじ山パターン１４０は、蓋筐体１１０の外周内で蓋筐体１１０上に形成することができる。すなわち、蓋筐体１１０の外周（すなわち、蓋筐体１１０の上部の円周）はねじ山パターン１４０が形成される蓋筐体１１０の部分の円周よりも大きく、従って、ねじ山パターン１４０が容器１８０の内側に嵌合し、容器壁が蓋筐体１１０の上部と同一平面に嵌合する。外側に面するねじ山パターン１４０は、容器壁の外側に嵌合する内側に面するねじ山パターンよりも容器１８０をよりしっかりと密閉でき、蓋１００の漏れ防止および断熱特性をさらに向上させうる。容器１８０は、例えば、真空断熱体を有するステンレススチール容器のような、任意の好適な大きさおよび種類の容器であってもよい。
【００３６】
図６は本開示の実施形態に係る、開位置と閉位置との間の閉じ機構１２０の可動域の斜視図である。図７は、本開示の実施形態に係る、容器蓋１００の開口部１５０および部分的に開いた閉じ機構１２０の斜視図である。図６に示すように、閉じ機構１２０は、開口部１５０が密封される閉位置と、開口部１５０が開放され、閉じ機構１２０が収容される開位置との間で自由に回転することができる。閉位置では、蓋筐体１１０のリム１１４を収容するフック部１２２によって閉じ機構１２０が所定の位置に可逆的に保持される。同様に、開位置では、蓋筐体１１０の突出部１１６と嵌合する凹部１２６によって閉じ機構１２０が所定の位置に可逆的に保持される。閉じ機構１２０は、閉じ機構１２０（例えば、把持部１２４）にユーザが力を加えて閉じ機構１２０を回転させることによって、いずれかの位置から離れるように旋回することができる。
【００３７】
開位置と閉位置との間の閉じ機構１２０の動作範囲は約１８０度であってもよい。すなわち、図６に示すように、閉じ機構１２０は、開位置にあるときに閉位置にあるときから約１８０度離れている。閉じ機構１２０は、部分的に開放された閉じ機構１２０によって示されるように（図７）、動作範囲内で自由に回転することができる。閉じ機構１２０の動作範囲は任意の適切な方法で変更されてもよく、したがって、開示される容器蓋１００は、任意の１つの特定の動作範囲に限定されないことを理解されたい。
【００３８】
容器蓋１００のさらなる図が図９〜１３に示される。
図９は、本開示の実施形態に係る容器蓋１００の上面図である。図１０は、本開示の実施形態に係る容器蓋１００の底面図である。図１１は、本開示の実施形態に係る容器蓋１００の左側面図である。図１２は、本開示の実施形態に係る容器蓋１００の正面図である。図１３は、本開示の実施形態に係る図１２の線ＡＡに沿った容器蓋１００の断面図である。
【００３９】
容器蓋１００は、図１４〜図１７に示すように、代替的な断熱構造を含むことができる。この点に関して、図１４は、本開示の実施形態による容器蓋の別の分解図である。図１５は、本開示の実施形態による容器蓋の別の断面図である。図１６は、本開示の実施形態による容器蓋の別の分解図である。図１７は、本開示の実施形態による、図１２における線ＡＡに沿った容器蓋の別の断面図である。
【００４０】
蓋筐体１１０の中空体の全体に発泡断熱材１３０を充填する代わりに、発泡断熱材１３０と１以上のエアポケットとの組み合わせにより蓋筐体１１０の中空体を充填することもできる。例えば、蓋筐体１１０の底部１１２は、複数のエアポケット１９４を形成する壁１９２が配置された底部１９０と置換でき、その結果、エアポケット１９４が、発泡断熱材１３０と共に蓋筐体１１０内に設けられる。発泡断熱材１３０と対になったとき、エアポケット１９４は、容器１８０内の液体から蓋１００本体への熱エネルギーの伝達を防止する付加的な障壁として作用する。
【００４１】
図１４〜図１７に示すように、壁１９２は、蓋筐体１１０の中空本体の内面から外側に延び、発泡断熱材１３０と接触する。一実施例として、壁１９２は、発泡断熱材１３０がエアポケット１９４の上方に配置されるように蓋筐体１１０の内側の底部から上方に延びてもよい。あるいは、壁１９２は、発泡断熱材１３０がエアポケット１９４の下方に配置されるように蓋筐体１１０の内側の上部から下方に延びてもよい。壁１９２は、一実施例として、格子パターン、ハニカムパターン等に設けられてよい。また、壁１９２の高さおよび厚さは、設計の嗜好に応じて変化してもよい。底部１９０および／または壁１９２は、蓋筐体１１０と同じ材料、例えば、ＡＢＳまたは他の熱可塑性ポリマーを使用して形成されてもよい。
【００４２】
特定の材料が上述されているが、本明細書に記載されている容器蓋１００の任意の部分およびすべての部分は、プラスチック、金属、セラミック、またはそれらの組み合わせなどであるが、それらに限定されない、任意の適切な材料から作製されてもよい。本開示のプラスチックは、一実施例として、ポリエチレンテレフタレート（ＰＥＴ）、高密度ポリエチレン、低密度ポリエチレン、ビニル、ポリプロピレン、およびポリスチレンを含むことができる。さらに、本開示の適切な金属は、アルミニウムおよび鉄（例えば、鋼、ステンレス鋼、および鋳鉄）を含み得る。本明細書に開示される任意のシールは、ゴム、プラスチック、軟質プラスチック、および／または発泡体などであるが、これらに限定されない、任意の適切なシール材料から作製されてもよい。
【００４３】
したがって、本明細書に開示される容器蓋は、漏れ防止性と断熱性とを組み合わせたドリンクスルー設計（a drink-through design）を特徴とする。旋回閉じ機構は、容器蓋の開口部を可逆的に封止して、開口部からの漏れを排除する。発泡断熱材は、容器の含有物を断熱するために蓋筐体の中空体を充填する。その結果、容器内の液漏れを防止するとともに、液体の温度を維持する容器蓋が得られる。開示される容器蓋はまた、蓋に対して外側に面するように形成されるねじ山パターンを特徴とし、その結果、容器の内側に面するねじ山パターンと連結でき、それによって、蓋の漏れ防止および断熱特性を向上させる密封を創りだす。
【００４４】
発泡断熱材を備えた漏れ防止容器蓋を提供する例示的な実施形態が示され、説明されてきたが、本明細書の実施形態の趣旨および範囲内で、様々な他の適用および変更が可能であることを理解されたい。例えば、本実施形態は、本実施形態では、開位置と閉位置との間で回転する旋回閉じ機構に関連して、主として示され、説明されてきた。しかしながら、本実施形態は、そのより広い意味において限定されない。なぜなら、閉じ機構は、押しボタン機構またはスライド機構のような、蓋の開口部を封止することが可能な別の機構に置換されてよいためである。したがって、本実施形態は、本請求項の範囲に従って任意の好適な方法で変更することができる。
【００４５】
前述の説明は、本発明の実施形態を対象としたものである。しかしながら、それらの利点のいくつか又は全てを達成することにより、他の変形及び変更が、記載された実施形態になされてよいことは明らかであろう。したがって、この記載は、実施例としてのみ解釈されるべきであり、本明細書における本実施形態の範囲を限定するものではない。したがって、添付の特許請求の範囲は、本明細書における本実施形態の真の趣旨および範囲内に含まれる、そのようなすべての変形および変更を包含することを目的とする。
〔関連出願のクロスリファレンス〕
本出願は、２０１７年８月３日に米国特許商標庁に出願された米国仮出願第６２／５４０、６９３号の優先権の利益を主張し、その全内容は、本明細書に完全に記載されるように参照により組み込まれる。
【図１】
2020529368.tif 000003
【図２】
2020529368.tif 000004
【図３】
2020529368.tif 000005
【図４】
2020529368.tif 000006
【図５】
2020529368.tif 000007
【図６】
2020529368.tif 000008
【図７】
2020529368.tif 000009
【図８】
2020529368.tif 000010
【図９】
2020529368.tif 000011
【図１０】
2020529368.tif 000012
【図１１】
2020529368.tif 000013
【図１２】
2020529368.tif 000014
【図１３】
2020529368.tif 000015
【図１４】
2020529368.tif 000016
【図１５】
2020529368.tif 000017
【図１６】
2020529368.tif 000018
【図１７】
2020529368.tif 000019
【国際調査報告】
2020529368.tif 000020
2020529368.tif 000021